(57)【要約】  振動する駆動シャフトを備えた駆動組立体を有する顔の肌の用途のための器具。動作変換器は、振動する駆動部材に対して着脱可能に取り付け可能な基部材と、使用者の肌へと注入するための肌製剤を保持するように適合された凹面を備えた柔らかい先端を含む注入部材と、を備える。ばね組立体は、基部材を注入部材に連結し、駆動シャフトおよび基部材の振動作用を、肌へと向かい、肌から離れる顕著な軸線要素を有する作用へと変換するように配置され、肌における注入作用を生成する。【選択図】図１
2017500946.tif 000002
【特許請求の範囲】
【請求項１】
顔の肌の用途に使用するための器具であって、
駆動組立体、前記駆動組立体のための動力源、使用者に制御されるオン／オフ部材、および、器具の軸線周りで振動するように作用する、前記駆動組立体の遠位端における駆動シャフト部材を含む器具本体と、
前記駆動シャフト部材に対して着脱可能に取り付け可能な基部材、製剤を保持し前記製剤を使用者の前記肌へと注入するように構成されかつ適合された先端部を含む注入部材、および、前記基部材を前記注入部材に連結するばね組立体を備える動作変換器であって、前記ばね組立体が、前記駆動シャフトおよび前記基部材の振動作用を、前記器具の軸線に対しておおよそ平行に前記肌へと向かい、前記肌から離れる顕著な軸線要素を有する注入作用へと変換する、動作変換器と、を備える器具。
【請求項２】
前記先端部が柔軟であり、前記製剤を保持するための凹面構成を有する、請求項１に記載の器具。
【請求項３】
前記駆動部材が音声周波数の範囲内の周波数で振動する、請求項１に記載の器具。
【請求項４】
前記軸線方向の振動の周波数が８０Ｈｚから２００Ｈｚの間である、請求項３に記載の器具。
【請求項５】
前記ばね組立体がおおよそ１８０°離れた２つの対向するばね要素を含む、請求項１に記載の器具。
【請求項６】
前記動作変換器の２つの部材の間の分離に対するそれぞれのばねの長さが１よりも大きな比率である、請求項５に記載の器具。
【請求項７】
前記比率が３〜４の範囲内である、請求項６に記載の器具。
【請求項８】
柔軟な前記先端部がおおよそ２５．４ｍｍ（１インチ）の径の柔らかいプラスチックまたはゴムである、請求項２に記載の器具。
【請求項９】
前記ばね部材のそれぞれの前記端部が、前記基部材および前記注入部材のおおよそ前記外周縁から内方へと前記基部材および前記注入部材の半径のおおよそ２分の１の距離だけ延びる、請求項１に記載の器具。
【請求項１０】
前記ばね組立体がおおよそ３００°の角度で周方向に延びる１つのばねを備える、請求項１に記載の器具。
【請求項１１】
前記ばね組立体が２つの対向するばねを含み、それぞれのばねがおおよそ１６０°の円周角だけ延びる、請求項１に記載の器具。
【請求項１２】
前記ばね組立体が３つの等しく離間されたばねを含み、それぞれのばねがおおよそ１００°の円周角だけ延びる、請求項１に記載の器具。
【請求項１３】
前記ばね組立体が実質的に等しく離間された４つのばね部材を含み、それぞれのばね部材がおおよそ８０°の円周角だけ延びる、請求項１に記載の器具。
【請求項１４】
前記注入作用が、残りの作用が軸線方向である小さな振動要素を有する、請求項１に記載の器具。
【請求項１５】
顔の肌の用途のために使用される器具に着脱可能に嵌合するように適合された動作変換器組立体であって、前記器具は、駆動組立体、前記駆動組立体のための動力源、使用者に制御されるオン／オフ部材、および、器具の軸線周りで振動する、前記駆動組立体の遠位端における駆動シャフト部材を含む器具本体を含み、前記動作変換器は、
前記駆動シャフト部材に対して着脱可能に取り付け可能な基部材、
製剤を保持し前記製剤を前記使用者の前記肌へと注入するように構成されかつ適合された先端部を含む注入部材、および
前記基部材を前記注入部材に連結するばね組立体、を備え、前記ばね組立体が、前記駆動シャフトおよび前記基部材の前記振動作用を、前記器具の軸線に対しておおよそ平行に前記肌へと向かい、前記肌から離れる顕著な軸線要素を有する注入作用へと変換する、動作変換器組立体。
【請求項１６】
前記先端部が柔軟であり、前記製剤を保持するための凹面構成を有する、請求項１５に記載の動作変換器。
【請求項１７】
前記柔軟な先端が選択された肌製剤のおおよそ１回の投与量を保持する、請求項１６に記載の動作変換器。
【請求項１８】
前記ばね組立体がおおよそ１８０°離れた２つの対向するばね要素を含む、請求項１５に記載の動作変換器。
【請求項１９】
前記基部材と前記注入部材との間の分離距離に対する前記ばねの長さの比率が１より大きい、請求項１５に記載の動作変換器。
【請求項２０】
前記比率が３〜４の範囲内である、請求項１９に記載の動作変換器。
【請求項２１】
前記先端がおおよそ２５．４ｍｍ（１インチ）の径の柔らかいプラスチックまたはゴムである、請求項１６に記載の動作変換器。
【請求項２２】
前記ばね部材の下端がおおよそ前記基部材の前記外周縁から内方へと前記基部材の前記半径のおおよそ２分の１の距離だけ延びる、請求項１８に記載の動作変換器。
【請求項２３】
前記ばね組立体がおおよそ３００°の角度だけ周方向に延びる１つのばねを備える、請求項１５に記載の動作変換器。
【請求項２４】
前記ばね組立体が３つの等しく離間されたばねを含み、それぞれのばねがおおよそ１００°の円周角だけ延びる、請求項１５に記載の動作変換器。
【請求項２５】
前記ばね組立体が実質的に等しく離間された４つのばねを含み、それぞれのばねがおおよそ８０°の円周角だけ延びる、請求項１５に記載の動作変換器。
【請求項２６】
顔の肌の用途に使用するための器具キットであって、
駆動組立体、前記駆動組立体のための動力源、使用者に制御されるオン／オフ部材、および、器具の軸線周りで振動するように作用する、前記駆動組立体の遠位端における駆動シャフト部材を含む器具本体と、
器具の軸線周りの振動作用によって前記肌を洗浄する、前記駆動シャフト部材に対して着脱可能に連結可能な摩擦ヘッド取付部と、
前記駆動シャフト部材に対して着脱可能に取り付け可能な基部材、肌製剤を保持し前記製剤を使用者の前記肌へと注入するように構成されかつ適合された先端部を含む注入部材、および、前記基部材を前記注入部材へと連結するばね組立体を備える動作変換器であって、前記ばね組立体が、前記駆動シャフトおよび前記基部材の前記振動作用を、前記器具の軸線に対しておおよそ平行に前記肌へと向かい、前記肌から離れる顕著な軸線要素を有する注入作用へと変換する、動作変換器と、を備える器具キット。
【請求項２７】
前記先端部が柔軟であり、前記肌製剤を保持するための凹面構成を有する、請求項２６に記載の器具。
【発明の詳細な説明】
【技術分野】
【０００１】
[0001]本発明は、概して振動する駆動部材を備えた肌洗浄器具に関し、より詳細には、駆動部材に連結可能な振動変換機構に関し、変換機構は、肌製剤（skin formulation）の注入に適した軸線方向の作用を生成する。
【背景技術】
【０００２】
[0002]米国特許第７，３２０，６９１号において開示されたような、振動摩擦作用を生成する様々な肌洗浄摩擦器具が知られており、その内容は、参照により本明細書に組み込まれる。この特定の器具において、摩擦ヘッド表面は、選択された角度で、典型的には７°〜１５°の範囲内で、１７６Ｈｚの周波数で前後に振動する。この作用は、肌において洗浄作用を生成する。
【０００３】
[0003]米国特許第８，４６９，９０９号に開示されるように、別の肌治療器具において、肌製剤は、肌へと向かい、肌から離れる前後作用によって肌へと注入され、その内容も、参照により本明細書に組み込まれる。この特定の器具は、駆動部材に連結するための比較的硬い基部と、肌製剤の投与量（dose）等を保持するように構成され得る、より柔らかい先端部と、を含む、器具先端組立体を含む。この器具は、たとえば、おおよそ１２０Ｈｚの周波数と、おおよそ２．５ｍｍ（０．１インチ）の振幅とを使用する。
【発明の概要】
【発明が解決しようとする課題】
【０００４】
[0004]肌洗浄摩擦部の振動する駆動部材に対して着脱可能に連結され得る基部を有する動作変換機構を向上させ、これによって、肌製剤を注入することによる肌洗浄および肌治療の両方のための単一の駆動器具が使用され得ることは、好適となる。
【課題を解決するための手段】
【０００５】
[0005]したがって、本発明に係る１つの態様は、顔の肌の用途に使用するための器具であって、駆動組立体、駆動組立体のための動力源、使用者に制御されるオン／オフ部材、および、器具の軸線周りで振動するように作用する、駆動組立体の遠位端における駆動シャフト部材を含む器具本体と、駆動シャフト部材に対して着脱可能に取り付け可能な基部材、肌製剤を保持し製剤を使用者の肌へと注入するように構成されかつ適合された部分を含む注入部材、および、基部材を注入部材に連結するばね組立体を備える動作変換器であって、ばね組立体が、駆動シャフトおよび基部材の振動作用を、器具の軸線に対しておおよそ平行に肌へと向かい、肌から離れる顕著な軸線要素を有する注入作用へと変換する、動作変換器と、を備える器具である。
【０００６】
[0006]本発明に係る別の態様は、顔の肌の用途のために使用される器具に着脱可能に嵌合するように適合された動作変換器組立体であって、器具は、駆動組立体、駆動組立体のための動力源、使用者に制御されるオン／オフ部材、および、器具の軸線周りで振動する、駆動組立体の遠位端における駆動シャフト部材を含む器具本体を含み、動作変換器は、駆動シャフト部材に対して着脱可能に取り付け可能な基部材、肌製剤を保持し製剤を使用者の肌へと注入するように構成されかつ適合された先端部を含む注入部材、および、基部材を注入部材に連結するばね組立体、を備え、ばね組立体が、駆動シャフトおよび基部材の振動作用を、器具の軸線に対しておおよそ平行に肌へと向かい、肌から離れる顕著な軸線要素を有する注入作用へと変換する、動作変換器組立体を含む。
【図面の簡単な説明】
【０００７】
【図１】[0007]動作変換機構を含む二重作用器具の斜視図である。
【図２】[0008]図１の器具のヘッド端部を通る側部断面図である。
【図３】[0009]動作変換機構の動的応答を示す断面図である。
【図４】[00010]２つのばねの実施形態の周縁図である。
【図５】[00011]図５Ａは、１つのばね部材を有する動作変換機構の水平断面図である。図５Ｂは、２つのばね部材を有する動作変換機構の水平断面図である。図５Ｃは、３つのばね部材を有する動作変換機構の水平断面図である。図５Ｄは、４つのばね部材を有する動作変換機構の水平断面図である。図５Ｅは、２つのばねの実施形態の鉛直断面図である。
【図６】[00012]図６Ａは、１つのばねの実施形態の周縁図である。図６Ｂは、３つのばねの実施形態の周縁図である。図６Ｃは、４つのばねの実施形態の周縁図である。
【発明を実施するための形態】
【０００８】
[00013]図１は、動作変換機構が駆動部材に対して固定され、概して１０で示された従来の肌摩擦器の斜視図である。それは、把持部１２および隣接したヘッド部１４を含む。把持部内に内包されるのは、概して１６で示された駆動組立体、および、再充電可能なバッテリーのような、１８の動力源である。駆動組立体は、駆動組立体からヘッド部１４内に鉛直に延びる駆動シャフト２０を備えた様々な形式を取ることができる。駆動組立体１６は、駆動シャフト２０の振動形式の作用を生成する。１つの肌摩擦機構において、振動の角度は、５°〜１５°の範囲内であり、周波数は８０Ｈｚ〜２００Ｈｚの範囲内である。これらの値の両方は、特定の用途によって変更され得る。図２を参照すると、駆動シャフト２０の遠位端２２に取り付けられたのは、駆動要素２４である。駆動要素２４は、駆動シャフト２０に対して永久的に固定された中央部２５を有する。
【０００９】
[00014]動作変換器は、概して２８で示される。動作変換器は、概して硬いプラスチックで作られた板状の基部３０を含む。基部３０は、構成において概して円環状であり、径はおおよそ２５．４ｍｍ（１インチ）であり、おおよそ２．５ｍｍの厚さであるが、これらの寸法は変更され得る。基部３０から下方に延びるのは、複数の脚部３２、または、代替的に、傾斜され、あるいは駆動要素２４の寄り掛かり周縁部２７に摩擦嵌合によりスナップ係止（snap）するように適合された円環状リングであり、これによって駆動要素２４が振動し、基部３０も同様に振動する。動作変換器２８の上部注入部３４は、基部３０の上に配置される。注入部３４に対して基部３０を接続するのは、１つまたは複数のばね部材３６である。上部注入部は、凹状上部表面４２を備えた柔らかい先端を有するが、他の構成が可能であり、好適に使用されてもよい。
【００１０】
[00015]示された実施形態において、注入部３４は、おおよそ２５．４ｍｍの径であり、その周縁においておおよそ１２．７ｍｍ（０．５インチ）の高さを有する。凹状上部表面４２は、選択された肌製剤の単一の投与量を保持するための好適な実施形態において適合されるが、この構成は、より少ない、または、より多い肌製剤を保持するように変更され得る。
【００１１】
[00016]ばね部材３６は、弾性プラスチックであり、示された実施形態において、円筒状であり、おおよそ２．５ｍｍの径である。なお、好適には、それらは２．５ｍｍ〜５．１ｍｍ（０．１インチ〜０．２インチ）の幅寸法と、０．１ｍｍから０．４ｍｍの厚さとを有する平らな金属ばねであり得る。複数のばね部材が使用され得る。
【００１２】
[00017]再び図２を参照すると、設置リング４４は、動作変換機構と器具のヘッド部１４の周縁へり４０との間で延びる。示された実施形態において、周縁へり４０はおおよそ２．５ｍｍの高さであり、これにより、駆動要素２４の上部表面３９は、駆動シャフト２０に作用的に配置されたとき、周縁へりの上部縁のわずかに下となる。設置リング４４は円環状であり、動作変換機構の基部の寄り掛かり周縁部の近くに至るが接触しない、小さな、内方に延びるへり５１を含む、設置リング要素４４の内側縁からの第１の寄り掛かり要素５０を含む。設置リング４４は、器具のヘッド部の周縁へりの内側表面に隣接したところまで至る第２の寄り掛かり周縁要素５４を含み、ついで要素５４の下端において短い距離だけ内方へと傾斜する。設置要素の周縁は、ヘッド部の周縁へり４０の上部縁上で嵌合する。したがって設置リングは、動作変換器とヘッド部の周縁へりとの間の空間を満たす。
【００１３】
[00018]動作変換機構のばね部材３６の構成および位置は、基部が振動する間に小さなねじり部品を駆動部材の作用にしたがわせ、注入部が概して軸線方向に（ヘッド部に対して内側および外側に）動くように、動作の変化を生じさせる。結果としての全体の動作は、ねじり部品とともに振動する。たとえば、軸線方向の動作は、１７０Ｈｚのねじり作用を備えた２４０Ｈｚであり得る。なお、動作変換器は、駆動周波数に対する回転（ねじり）モードを調整することによって設計され得る。
【００１４】
[00019]ここで図３を参照すると、図３は、駆動要素がその選択された周波数、たとえば１７６Ｈｚで振動するときの、動作変換器の動的応答を示し、４７で示された、動作変換器のヘッド部４５内の基部も、矢印４７Ａによって示されるように、対応して回転する。４８で示されたばね部材は、４９で示された注入部における作用を生成し、それは、主に、５０で示された鉛直または軸線方向であり、おおよそ回転作用と同じ周波数またはその複合的なものである。不可欠ではないが、典型的には、５１で示されたわずかな回転動作を含むが、主な動作は軸線方向である。示された実施形態において、軸線方向の動作は０．２５ｍｍ〜５．１ｍｍ（０．０１インチ〜０．２インチ）の範囲内である。それは、動作変換作用を生成するばね部材の配置および構成である。結果、摩擦ヘッドによって振動作用および肌洗浄作用を与える従来の肌摩擦器が、軸線方向の作用および製剤注入機能を生成するためにも使用され得る。
【００１５】
[00020]図４は、動作変換器の下部と上部との間の２つのばねの配置の覆われない、すなわち平面的な周縁図を示す。図６Ａ〜図６Ｃは、類似の１つのばねの、３つのばねの、および、４つのばねの周縁図を示す。特に図４を参照すると、基部の上部表面６２、および、注入部の下部表面６４は、２つのばね要素６６および６８によって連結される。示された実施形態において、２つのばね要素は、おおよそ１８０°分離され（図５Ｂ）、おおよそ動作変換器の外周の半分よりわずかに短く延びる。ばね要素の端部は、２つの部分のおおよそ周縁から２つの部分の内方へと小さな距離だけ延びる。図５Ａ−５Ｅにおいて、ばねは、平らな金属ばねである。動作変換器の径が３０．５ｍｍ（１．２インチ）である場合、全外周は９６．５ｍｍ（３．８インチ）であり、図において平面的な形式で示される。各場合において動的な状態を満たし、かつ、目的の作用を生成するために、ばね要素の長さは、注入表面と基部表面との間の距離と比較すると、２５．４（１）より大きくするべきであり、好適には７６．２〜１０１．６（３〜４）の間にすべきである。これは、各場合における、基部および注入部からのばねの角度を決定する。
【００１６】
[00021]図６Ａ〜図６Ｃは、１つのばね、３つのばね、および、４つのばねの実施形態の類似の配置を示す。ばねは、ばねの数によって長さを変化させる。図５Ａ〜図５Ｅは、図６Ａ〜図６Ｃとの組み合わせで示され得る。図５Ａおよび図６Ａの実施形態は、基部７２と注入部７４との間の、円周角（図６Ａ）がおおよそ３００°の１つのばね７０を含む。図５Ａは、図６Ａの平面的な（覆われない）周縁図である。図３および図５Ｂは、２つのばね６６および６８を備えた実施形態を示し、それらは互いに対向し、おおよそ円周角１６０°以上だけ延びる。図５Ｃおよび図６Ｂは、３つの等しく離間されたばね要素９０、９２および９４を備えた実施形態を示し、それぞれのばねは、おおよそ円周角１００°だけ延びる。図５Ｄおよび図６Ｃは、４つのばね１００、１０２、１０４および１０６を備えた実施形態を示し、ばねは、等しく離間され、おおよそ円周角８０°だけ延びる。それぞれの場合において、ばねのそれぞれの端部は、図６Ａ〜図６Ｄに示されるように、２つの部分の半径のおおよそ２分の１の幅で基部および注入部に対して固定されるが、この配置は変更され得る。
【００１７】
[00022]機能的結果として、肌製剤の注入機能を生成する回転要素を備える一方で、器具の駆動シャフトの振動作用が軸線方向の作用へと変換される。ばねのばね速度と組み合わせられたその慣性に応じた注入部の動作の軸線方向の共振は、目的の結果を生成するための駆動周波数の複合である。他の構成において、回転要素は、０またはほぼ０であり得る。したがって、単一の駆動器具は、使用される特定のヘッド部材、１つの場合において摩擦ヘッド、他の場合において本明細書で開示された動作変換部材、のいずれかによって、肌洗浄および製剤注入の両方のために使用され得る。
【００１８】
[00023]本発明に係る好適な実施形態が説明のため開示されてきたが、当然のことながら、本発明の精神から逸脱することなく様々な変更、変形および置換が実施形態に組み込まれ得、これらは添付の特許請求の範囲によって定められる。
【図１】
2017500946.tif 000003
【図２】
2017500946.tif 000004
【図３】
2017500946.tif 000005
【図４】
2017500946.tif 000006
【図５Ａ】
2017500946.tif 000007
【図５Ｂ】
2017500946.tif 000008
【図５Ｃ】
2017500946.tif 000009
【図５Ｄ】
2017500946.tif 000010
【図５Ｅ】
2017500946.tif 000011
【図６Ａ】
2017500946.tif 000012
【図６Ｂ】
2017500946.tif 000013
【図６Ｃ】
2017500946.tif 000014
【国際調査報告】
2017500946.tif 000015